(57)【要約】 【課題】  ヤットコなどの汎用品の遠隔作業道具に、ペンチなどの汎用品の手元作業道具を取り付けることを実現して、専用の遠隔作業道具を準備することなく、所望の作業を臨機応変に、かつ、安価に行うことを可能にする連結アダプタを提供すること。【解決手段】  汎用品のラジオペンチなどの握り部を差し込む本体部１１と、この本体部１１に並列されたナット２２に蝶ネジ２３を螺合させることによりその握り部を固定して取り付ける手元道具取付部２１と、汎用品のヤットコの把持部の先端部に固定して取り付ける箱型筐体部３２を本体部１１の他端側の潰し部１５に回動可能に連結するヤットコ取付部３１と、を備えて２つ一組で使用する連結アダプタ１０であって、この連結アダプタ１０によりヤットコの把持部とラジオペンチの握り部とを連結して連係動作させることを実現する。【選択図】      図１
2006075950.tif 000002
【特許請求の範囲】
【請求項１】
一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える遠隔作業道具と、
一対の回動部材が中間部に配設された回動軸を中心に相対的に回動可能に構築されて、該回動部材の一端側の先端部が接近することにより目的物を挟むように動作して挟持や切断などの作業をする作業部を構成するとともに、該回動部材の他端側の後端部が当該回動部材の先端部を接離させる方向に回動させるように操作する操作部を構成する手元作業道具と、
を連結して連係動作させるように連結アダプタであって、
遠隔作業道具の回動部材毎の先端部に着脱可能に取り付ける第１取付部と、手元作業道具の回動部材毎の後端部に着脱可能に取り付ける第２取付部と、これら第１、第２取付部を有して遠隔作業道具の回動部材の先端部および手元作業道具の回動部材の後端部を当該回動部材毎に連結する連結部と、第１、第２取付部により連結部に取り付けられて連結された遠隔作業道具および手元作業道具が動作する際にそれぞれの回動部材が回動することを許容する回動許容部と、を備えて、
遠隔作業道具の一対の回動部材および手元作業道具の一対の回動部材をそれぞれ別個に連結して連係動作させるように２つ一組で使用することを特徴とする連結アダプタ。
【請求項２】
一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える遠隔作業道具と、
一対の回動部材が一端側に配設された回動軸を中心に相対的に回動可能に構築されて、該回動部材の他端側の後端部が当該回動部材の先端部側を接離させる方向に回動させるように操作する操作部として構成されるとともに、該操作部が接近されたときに回動軸側の先端部側が目的物を挟むように動作して挟持や切断などの作業をする作業部を構成する手元作業道具と、
を連結して連係動作させるように連結アダプタであって、
遠隔作業道具の回動部材毎の先端部に着脱可能に取り付ける第１取付部と、手元作業道具の回動部材毎の後端部に着脱可能に取り付ける第２取付部と、これら第１、第２取付部を有して遠隔作業道具の回動部材の先端部および手元作業道具の回動部材の後端部を当該回転部材毎に連結する連結部と、第１、第２取付部により連結部に取り付けられて連結された遠隔作業道具および手元作業道具が動作する際にそれぞれの回動部材が回動することを許容する回動許容部と、を備えて、
遠隔作業道具の一対の回動部材および手元作業道具の一対の回動部材をそれぞれ別個に連結して連係動作させるように２つ一組で使用することを特徴とする連結アダプタ。
【請求項３】
前記連結部は取付部の取付相手を内装する形状に形成される一方、
当該取付部は該連結部の外面から内面に向かって貫通する雌ネジと、該雌ネジに螺合する雄ネジと、により構成して、
連結部内に内装した取付相手に雄ネジの先端側を押し付けることにより取付状態を維持することを特徴とする請求項１または２に記載の連結アダプタ。
【請求項４】
前記連結部内に、内装する取付相手に雄ネジの先端側が直接当接することを防止する材料を介在させたことを特徴とする請求項３に記載の連結アダプタ。
【請求項５】
前記連結部は取付部の取付相手を内装する形状に形成される一方、
当該取付部は該連結部の外面から内面に向かって貫通する貫通孔と、該貫通孔内を貫通して連結部内に挿脱されるピンと、該ピンを連結部内に進入させる方向に付勢する付勢手段と、により構成して、
連結部内に内装した取付相手にピンの先端側を係合させることにより取付状態を維持することを特徴とする請求項１または２に記載の連結アダプタ。
【請求項６】
前記遠隔作業道具の把持部の回動面、および、手元作業道具の作業部の回動面の延長面が交差するように、遠隔作業道具の把持部に手元作業道具の操作部を連結することを特長とする請求項１から５のいずれかに記載の連結アダプタ。
【発明の詳細な説明】
【技術分野】
【０００１】
本発明は、連結アダプタに関し、詳しくは、ペンチなどの手元作業道具を、ヤットコなどの遠隔作業道具により操作することを実現するものに関する。
【背景技術】
【０００２】
従来より、遠隔位置の目的物を把持することのできるヤットコが知られており、このヤットコを用いて、例えば、電柱に架設されている電線に防護管を被せたり、電線に碍子をネジ止めする作業や、その電柱の上部に営巣されたカラスの巣を除去するなどの作業等が行われている。
【０００３】
このようなヤットコとしては、例えば、図４に示すように、目的物を把持する把持部１１０と、作業者が操作する操作部１２０と、この操作部１２０が手元側に配置されるとともに把持部１１０が離隔する先端位置に連結されて操作部１２０からの操作力を把持部１１０に伝達して動作させる支持伝達部１３０と、を備えている。このヤットコ１００の把持部１１０は、支持伝達部１３０の支持棒１３１に固設（連結）されている不動部材（回動部材）１１１と、支持伝達部１３０の支持棒１３１に配設された回動軸１１３を中心に回動自在に支持（連結）されている可動部材（回動部材）１１２とを備えており、この可動部材１１２が不動部材１１１に対して相対的に回動することにより、それぞれの先端部が接離して、目的物を掴んだり離したりすることができる。
【０００４】
しかし、このヤットコ１００は、目的物を把持部１１０により掴むことが主であることから、遠隔位置の目的物を切断等したい場合には、把持部１１０の位置に切断機能などを備える遠隔作業道具を準備する必要があり、多種の作業を行うことが想定される場合には、必要な道具が嵩張るなどの不都合があった。
【０００５】
この課題を解消するために、一般的な汎用品のヤットコ１００に切断等の機能を与えることが提案されている。例えば、ヤットコ１００の不動部材１１１に取付可能な万力のような取付部品に、ラジオペンチなどの作業工具の一方の柄（握り部）を固設するとともに、他方の柄はヤットコ１００の可動部材１１２が当接・離隔して開閉させるようにすることが提案されている（例えば、特許文献１参照）。なお、この発明では、柄の間に離隔方向に付勢するスプリングが介装されていることにより、ヤットコ１００の可動部材１１２が一方の柄に当接・離隔するだけで開閉させることができる。
【０００６】
また、ヤットコ１００の不動部材１１１および可動部材１１２に取り付けることができるとともに、ラジオペンチなどの個々の柄に回動可能に連結された取付部を備える手元作業道具が提案されている（例えば、特許文献２参照）。
【特許文献１】特開平１１−１９１９０６号公報
【特許文献２】特開２００３−１７０３６４号公報
【発明の開示】
【発明が解決しようとする課題】
【０００７】
しかしながら、このような従来のヤットコ用の取付道具にあっては、作業する種別毎にヤットコ自体を準備する必要はないが、ラジオペンチなどのような手元で作業する際に使用する作業道具にヤットコ専用の取付部を固設した専用の作業道具を準備する必要がある。このため、特殊な道具が必要で嵩張ってしまうとともに、ヤットコ専用の作業道具を準備して置かない限り、所望の作業を臨機応変に行うことができない。
【０００８】
そこで、本発明は、ヤットコなどの汎用品の遠隔作業道具に、ペンチなどの汎用品の手元作業道具を取り付けることを実現して、専用の遠隔作業道具を準備することなく、所望の作業を臨機応変に、かつ、安価に行うことを可能にする連結アダプタを提供することを目的とする。
【課題を解決するための手段】
【０００９】
上記課題を解決する連結アダプタの第１の発明は、一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える遠隔作業道具と、一対の回動部材が中間部に配設された回動軸を中心に相対的に回動可能に構築されて、該回動部材の一端側の先端部が接近することにより目的物を挟むように動作して挟持や切断などの作業をする作業部を構成するとともに、該回動部材の他端側の後端部が当該回動部材の先端部を接離させる方向に回動させるように操作する操作部を構成する手元作業道具と、を連結して連係動作させるように連結アダプタであって、遠隔作業道具の回動部材毎の先端部に着脱可能に取り付ける第１取付部と、手元作業道具の回動部材毎の後端部に着脱可能に取り付ける第２取付部と、これら第１、第２取付部を有して遠隔作業道具の回動部材の先端部および手元作業道具の回動部材の後端部を当該回動部材毎に連結する連結部と、第１、第２取付部により連結部に取り付けられて連結された遠隔作業道具および手元作業道具が動作する際にそれぞれの回動部材が回動することを許容する回動許容部と、を備えて、遠隔作業道具の一対の回動部材および手元作業道具の一対の回動部材をそれぞれ別個に連結して連係動作させるように２つ一組で使用することを特徴とするものである。
【００１０】
上記課題を解決する連結アダプタの第２の発明は、一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える遠隔作業道具と、一対の回動部材が一端側に配設された回動軸を中心に相対的に回動可能に構築されて、該回動部材の他端側の後端部が当該回動部材の先端部側を接離させる方向に回動させるように操作する操作部として構成されるとともに、該操作部が接近されたときに回動軸側の先端部側が目的物を挟むように動作して挟持や切断などの作業をする作業部を構成する手元作業道具と、を連結して連係動作させるように連結アダプタであって、遠隔作業道具の回動部材毎の先端部に着脱可能に取り付ける第１取付部と、手元作業道具の回動部材毎の後端部に着脱可能に取り付ける第２取付部と、これら第１、第２取付部を有して遠隔作業道具の回動部材の先端部および手元作業道具の回動部材の後端部を当該回転部材毎に連結する連結部と、第１、第２取付部により連結部に取り付けられて連結された遠隔作業道具および手元作業道具が動作する際にそれぞれの回動部材が回動することを許容する回動許容部と、を備えて、遠隔作業道具の一対の回動部材および手元作業道具の一対の回動部材をそれぞれ別個に連結して連係動作させるように２つ一組で使用することを特徴とするものである。
【００１１】
これら第１、第２の発明では、遠隔作業道具の把持部の回動部材の先端部には第１取付部を取り付けるとともに、手元作業道具の回動部材の操作部には第２取付部を取り付けることにより、遠隔作業道具の把持部と手元作業道具の操作部は回動部材毎が連結部を介してそれぞれ連結される。この状態で、遠隔作業道具の操作部を操作して把持部の回動部材を開閉させる方向に相対的に回動させると、同様に手元作業道具の回動部材が相対的に開閉する方向に回動される。このとき、遠隔作業道具の回動部材と手元作業道具の回動部材は、互いの間に画成する挟角を増減させる方向に相対的に回動するが、その回動は回動軸や弾性材料などの回動許容部により吸収（許容）される。したがって、遠隔作業道具の把持部を開閉（先端部を接離）することにより、手元作業道具の回動部材の操作部と共にその作業部を接離させることができ、遠隔作業道具に手元作業道具を連係動作させて、作業部が備える機能により目的物を挟持したり切断などすることができる。
【００１２】
上記課題を解決する連結アダプタの第３の発明は、上記第１または第２の発明の特定事項に加え、前記連結部は取付部の取付相手を内装する形状に形成される一方、当該取付部は該連結部の外面から内面に向かって貫通する雌ネジと、該雌ネジに螺合する雄ネジと、により構成して、連結部内に内装した取付相手に雄ネジの先端側を押し付けることにより取付状態を維持することを特徴とするものである。
【００１３】
この発明では、遠隔作業道具の把持部の回動部材や手元作業道具の回動部材の操作部は、筒形状の連結部内に内装されて雌ネジに螺合する雄ネジによりその連結部内に締め付けられることによって固定される。したがって、雄ネジの先端を押し付ける相手側に窪みなどがない回動部材であっても強固に固定することができ、手元作業道具を遠隔作業道具に信頼性高く連結取付することができる。
【００１４】
上記課題を解決する連結アダプタの第４の発明は、上記第３の発明の特定事項に加え、前記連結部内に、内装する取付相手に雄ネジの先端側が直接当接することを防止する材料を介在させたことを特徴とするものである。
【００１５】
この発明では、雄ネジの先端が相手側の回動部材に直接当たることがなく、その相手側を傷つけてしまうことを回避することができる。したがって、他の作業場所で使用などしている手元作業道具を流用して、損傷させてしまうことなく利用することができる。
【００１６】
上記課題を解決する連結アダプタの第５の発明は、上記第１または第２の発明の特定事項に加え、前記連結部は取付部の取付相手を内装する形状に形成される一方、当該取付部は該連結部の外面から内面に向かって貫通する貫通孔と、該貫通孔内を貫通して連結部内に挿脱されるピンと、該ピンを連結部内に進入させる方向に付勢する付勢手段と、により構成して、連結部内に内装した取付相手にピンの先端側を係合させることにより取付状態を維持することを特徴とするものである。
【００１７】
この発明では、遠隔作業道具の把持部の回動部材や手元作業道具の回動部材の操作部は、筒形状の連結部内に内装されて内部に突出するピンに係合することによって固定される。したがって、相手側がピンの先端に係合することのできる窪みなどがある回動部材の場合には、ピンを引き上げるなどするだけで着脱することができ、手元作業道具を遠隔作業道具に容易に連結取付することができる。
【００１８】
上記課題を解決する連結アダプタの第６の発明は、上記第１から第５のいずれかの発明の特定事項に加え、前記遠隔作業道具の把持部の回動面、および、手元作業道具の作業部の回動面の延長面が交差するように、遠隔作業道具の把持部に手元作業道具の操作部を連結することを特徴とするものである。
【００１９】
この発明では、遠隔作業道具の延在する方向に対して、動作する手元作業道具の作業部の方向に角度を付けることができる。したがって、手元作業道具が遠隔作業道具に直線的に連結されているために、遠隔作業道具の姿勢によってはその手元作業道具が作業し難い箇所でも、楽に作業することができる。
【００２０】
ここで、前記連結部は、取付部の取付相手を収装可能な筒形状や挟み込む形状に形成することにより、その取付相手の回動部材を内装状態にすることのできる構造にするのが好ましく、多種の取付相手を内装可能にする場合には、太めに形成すればよい。また、その取付相手を深く内装する場合には相手側の回動部材の形状に合わせて連結部を直線状に形成したり、あるいは湾曲等させてもよい。
【発明の効果】
【００２１】
本発明によれば、遠隔作業道具の把持部に手元作業道具の操作部を連結して、遠隔作業道具と手元作業道具をそれぞれ動作させることができるので、遠隔作業道具を操作して手元作業道具の機能で作業することができ、遠隔作業道具に種別の異なる手元作業道具を必要に応じて連結して作業することができる。したがって、ヤットコなどの汎用品の遠隔作業道具に、ペンチなどの汎用品の手元作業道具を連結して、適宜作業することができる。この結果、作業の種別毎に専用の遠隔作業道具を準備することなく、所望の作業を臨機応変に、かつ、安価に行うことができる。
【発明を実施するための最良の形態】
【００２２】
以下、本発明の最良の実施形態を図面に基づいて説明する。図１〜図８は本発明に係る連結アダプタの第１の実施形態を示す図である。
【００２３】
図１において、連結アダプタ１０は、図４に示すヤットコ（遠隔作業道具）１００と、図５に示すラジオペンチ（手元作業道具）２００や図６に示す金切りハサミ（手元作業道具）３００や図７に示す切込みハサミ（手元作業道具）４００などの手元道具と、を連結する構造に設計されており、２つ一組で使用することにより、ヤットコ１００とラジオペンチ２００とを連係動作させることができる。
【００２４】
まず、ヤットコ１００は、各種の部品や材料などの目的物を掴む把持部１１０と、この把持部１１０の操作（力）を入力する操作部１２０と、これら把持部１１０および操作部１２０を離隔させる位置に支持棒１３１により連結するとともにその操作部１２０に入力された作業者による操作を伝達棒１３２により把持部１１０に伝達する支持伝達部１３０と、を備えており、このヤットコ１００は、概略全体をプラスチックやゴム材料などの絶縁材料で作製されて絶縁性が確保されている。
【００２５】
把持部１１０は、円弧形状に形成されて支持伝達部１３０の支持棒１３１の一端側に固設された不動部材１１１と、同様に円弧形状に形成されて支持伝達部１３０の伝達棒１３２の一端側に連結されるとともに不動部材１１１（支持棒１３１）側に配設された回動軸１１３を中心に回動自在に軸支されている可動部材１１２と、により構成されている。この把持部１１０は、不動部材１１１および可動部材１１２が回動軸１１３を中心に相対的に回動して互いの先端部１１１ａ、１１２ａを接離させることにより回動軸１１３との間に画成される空間Ｓ内やその先端部１１１ａ、１１２ａの間に目的物を把持して掴むことができるように構築されている。
【００２６】
操作部１２０は、支持伝達部１３０の支持棒１３１の他端側に取り付ける取付具１２１と、この取付具１２１に配設された回動軸１２１ａに一端側が回動自在に軸支されているレバーハンドル１２２と、このレバーハンドル１２２と同軸となるように取付具１２１の回動軸１２１ａに一端側が回動自在に軸支されているとともに他端側が回動軸１２３ａを介して相対回動可能に支持伝達部１３０の伝達棒１３２に連結されている連結レバー１２３と、取付具１２１の回動軸１２１ａに配設されてレバーハンドル１２２の回動を連結レバー１２３に伝達するとともに支持伝達部１３０の伝達棒１３２を図４の上方（不動部材１１１および可動部材１１２の先端部１１１ａ、１１２ａ同士を離隔させる方向）に押すように付勢する不図示のバネ材料と、により構成されている。
【００２７】
これにより、ヤットコ１００は、作業者が支持伝達部１３０の支持棒１３１を掴んで支持しつつ、操作部１２０のレバーハンドル１２２をその支持棒１３１に接近させる方向に回動させると、その支持伝達部１３０の伝達棒１３２が図４の下方に引かれて把持部１１０の可動部材１１２が不動部材１１１に接近する方向に向かって回動されることにより先端部１１１ａ、１１２ａ同士を接近させることができ、目的物を把持して掴むことができる。一方、このヤットコ１００は、レバーハンドル１２２が放されて伝達棒１３２を介する操作力から解放されると、前記バネ材料の弾性力により伝達棒１３２が図４上方に押されて可動部材１１２が不動部材１１１から離隔する方向に向かって回動されることにより先端部１１１ａ、１１２ａ同士を離隔させた自然状態に戻る。
【００２８】
ここで、支持伝達部１３０の伝達棒１３２には、連結レバー１２３との連結部の近傍にスプリング１３３が介装されており、レバーハンドル１２２を回動させて伝達棒１３２を引いて可動部材１１２と不動部材１１１を接近させて目的物を把持する際には、その操作力に応じてスプリング１３３が弾性伸長することにより信頼性高く目的物を把持して掴む状態を維持することができる。また、このヤットコ１００は、把持部１１０側からの水分を滴下させる傘カバー１３４と、作業対象の電線などからの絶縁性を考慮して安全に作業を行い得る限界位置を示す傘カバー１３５とが支持伝達部１３０の支持棒１３１および伝達棒１３２に設けられている。
【００２９】
また、ラジオペンチ２００は、図５に示すように、一対の回動部材２０１、２０２の中間部に形成された軸形状および軸受け形状を組み合わせた回動軸２０３を備えており、この回動軸２０３を中心に回動部材２０１、２０２が相対的に回動可能に連結されている。この回動部材２０１、２０２は、先細に形成されて互いの対向面２１１ａ、２１２ａを面接触させる先細部２１１、２１２と、この先細部２１１、２１２の対向面２１１ａ、２１２ａ側に屈曲した後にその対向面２１１ａ、２１２ａ側に向かって湾曲する握り部（柄）２２１、２２２と、がそれぞれ連続するように形成されている。この回動部材２０１、２０２の握り部２２１、２２２の間には、先細部２１１、２１２を離隔させる方向に付勢する不図示のバネ材料が介装されている。
【００３０】
これにより、ラジオペンチ２００は、握り部２２１、２２２を握って接近させることにより先細部２１１、２１２の対向面２１１ａ、２１２ａ間に目的物を挟持することができ、その握る力を解除して握り部２２１、２２２を解放することにより先細部２１１、２１２間を離隔させた自然状態に戻る。すなわち、先細部２１１、２１２がラジオペンチ２００の作業部を構成するとともに、握り部２２１、２２２が操作部を構成している。なお、このラジオペンチ２００は、握り部２２１、２２２が樹脂材料からなるカバー２０４により握る際に滑らないように覆われている。
【００３１】
金切りハサミ３００は、図６に示すように、ラジオペンチ２００と同様に、一対の回動部材３０１、３０２が中間部の回動軸３０３により相対的に回動可能に連結されている。この回動部材３０１、３０２は、互いの対向辺３１１ａ、３１２ａを擦り合わせる切断部３１１、３１２と、この切断部３１１、３１２の対向辺３１１ａ、３１２ａから略直線的に延在する握り部３２１、３２２と、がそれぞれ連続するように形成されている。この回動部材３０１、３０２の握り部３２１、３２２の間には、切断部３１１、３１２を離隔させる方向に付勢するバネ３０５が介装されている。
【００３２】
これにより、金切りハサミ３００は、握り部３２１、３２２を握って接近させることにより切断部３１１、３１２の対向辺３１１ａ、３１２ａ間で目的物を切断することができ、その握る力を解除して握り部３２１、３２２を解放することにより切断部３１１、３１２間を離隔させた自然状態に戻る。すなわち、切断部３１１、３１２が金切りハサミ３００の作業部を構成するとともに、握り部３２１、３２２が操作部を構成している。なお、この金切りハサミ３００は、握り部３２１、３２２が樹脂材料からなるカバー３０４により掴む際に滑らないように覆われている。
【００３３】
切込みハサミ４００は、図７に示すように、一対の回動部材４０１、４０２が一端側の回動軸４０３により相対的に回動可能に連結されている。この回動部材４０１、４０２は、その回動軸４０３側の互いの対向辺４１１ａ、４１２ａを擦り合わせる切断部４１１、４１２と、この切断部４１１、４１２の対向辺４１１ａ、４１２ａから離隔する他端側に向かって湾曲する握り部４２１、４２２と、がそれぞれ連続するように形成されている。
【００３４】
これにより、切込みハサミ４００は、握り部４２１、４２２を握って接近させることにより切断部４１１、４１２の対向辺４１１ａ、４１２ａ間で目的物を切断することができる。すなわち、切断部４１１、４１２が切込みハサミ４００の作業部を構成するとともに、握り部４２１、４２２が操作部を構成している。なお、この切込みハサミ４００は、握り部４２１、４２２が樹脂材料からなるカバー４０４により掴む際に滑らないように覆われている。
【００３５】
ここで、ラジオペンチ２００や金切りハサミ３００としては、握り部２２１〜３２２の間にバネ材料を介装することにより、握る力を解除すると先細部２１１、２１２や切断部３１１、３１２間が自然に離隔する機構を有する場合を一例に説明するが、ヤットコ１００に連結した場合には、ヤットコ１００の取付具１２１の回動軸１２１ａに配設したバネ材料が働くので、切込みハサミ４００のように特にバネ材料を設けなくてもよい。なお、この切込みハサミ４００としては、回動部材４０１、４０２の回動軸４０３にバネ材料を内装させて、握る力を解除すると切断部４１１、４１２間が自然に離隔する機構を有してもよいことはいうまでもない。
【００３６】
そして、図１に戻って、連結アダプタ１０は、ラジオペンチ２００や金切りハサミ３００や切込みハサミ４００の握り部２２１〜４２２を内装可能な径のチューブ形状に形成されている本体部（連結部）１１と、この本体部１１の一端側に開口する差込口１２内に差し込んだラジオペンチ２００などの握り部２２１〜４２２をその内部に固定して取付状態を維持する手元道具取付部（第２取付部）２１と、本体部１１の他端側（差込口１２の反対側）に連結されるとともにヤットコ１００の把持部１１０の不動部材１１１および可動部材１１２の先端部１１１ａ、１１２ａに固定されて取付状態を維持するヤットコ取付部（第１取付部）３１と、により構築されている。ここで、ヤットコ１００の把持部１１０の不動部材１１１および可動部材１１２の先端部１１１ａ、１１２ａという文言を繰り返すのは、冗長すぎることから、以下では、ヤットコ１００の先端部１１１ａ、１１２ａなどと略す場合もある。
【００３７】
本体部１１は、図２に示すように、例えば、ラジオペンチ２００などの握り部２２１〜４２２よりも大径のチューブ管をその握り部２２１〜４２２よりも長めに切り出して他端側を潰すことにより作製されており、その一端側の開口を握り部２２１、２２２の差込口１２としている。ここで、この本体部１１は、後述するように、ヤットコ１００を操作する力が加わったり、雨の中でも作業する場合もあるので、強度や耐候性を確保するためにステンレス製のチューブ材料から成形するのが好ましい。なお、この本体部１１の差込口１２には、チューブ管を切断したときの角が露出して危険であるために、ゴムなどの弾性材料よりなるチューブ管が保護カバー１３として被されている。
【００３８】
手元道具取付部２１は、本体部１１の外周面にその延在方向に並ぶように溶接されているナット（雌ネジ）２２と、このナット２２に螺合する蝶ネジ（雄ネジ）２３とにより構成されている。この手元道具取付部２１は、蝶ネジ２３がナット２２に螺合してその溶接位置の本体部１１の外周面に開口する貫通孔１４を貫通することにより、その本体部１１の内部に蝶ネジ２３の先端を進入させて内装状態のラジオペンチ２００などの握り部２２１〜４２２の外面を反対側に向かって締め付けることができる。これにより、手元道具取付部２１は、ラジオペンチ２００などの握り部２２１〜４２２（カバー２０４〜４０４）の外面に取付用の窪みなどがない場合でも、強固に押さえ付けて固定（連結）することができる。
【００３９】
また、この手元道具取付部２１は、蝶ネジ２３の先端とラジオペンチ２００などの握り部２２１〜４２２との間に介在して、その蝶ネジ２３の先端に押されて変位する、薄い金属板、例えば、銅板からなる当て板２４が取り付けられている。これにより、手元道具取付部２１は、蝶ネジ２３の先端が本体部１１内のラジオペンチ２００などの握り部２２１〜４２２のカバー２０４〜４０４の外面に傷を付けてしまうことなく固定することができる。なお、この当て板２４は、蝶ネジ２３の先端が突き当たる貫通孔１４の形成位置から差込口１２側の本体部１１の外面に対面するように延在してネジ止めされており、そのネジ止め位置は保護カバー１３により覆われている。
【００４０】
ヤットコ取付部３１は、ヤットコ１００の把持部１１０の先端部１１１ａ、１１２ａを差し込んで覆う箱型筐体部３２と、この箱型筐体部３２をその先端部１１１ａ、１１２ａに着脱可能に固定して取り付け状態を維持する着脱部３３と、箱型筐体部３２を本体部１１の他端側に回動自在に軸支する軸支部３４とにより構成されている。
【００４１】
箱型筐体部３２は、図３に示すように、ヤットコ１００の把持部１１０の先端部１１１ａ、１１２ａを差し込んで内装状態にするように開口する差込口３５が形成されているとともに、その差込口３５の上面側（図３の上方）にはその先端部１１１ａ、１１２ａの両側面に形成されているリブ１１１ｂ、１１２ｂ（１１１ｂのみ図８に図示）を収装するスリット３６が形成されており、そのスリット３６の間に着脱部３３が配設されている。
【００４２】
着脱部３３は、箱型筐体部３２の上面に一体形成されて上下方向に貫通する貫通孔３７が穿孔されており、この貫通孔３７内に、箱型筐体部３２の内部に先端３８ａを突出させる係合ピン３８と、この係合ピン３８および貫通孔３７内面に両端部をそれぞれ固設されてその係合ピン３８の先端３８ａを箱型筐体部３２内に突出させるように付勢するスプリング（付勢手段）３９と、が収装されている。これにより、この着脱部３３は、係合ピン３８の後端側の大径部３８ｂを摘まんでスプリング３９の弾性力に抗して引き上げることにより、ヤットコ１００の把持部１１０の先端部１１１ａ、１１２ａを箱型筐体部３２の差込口３５から差し込むことができ、その係合ピン３８の大径部３８ｂを離したときにはその先端部１１１ａ、１１２ａの外面に形成されている不図示の窪みに係合ピン３８の先端３８ａを進入（係合）させて箱型筐体部３２内から離脱してしまうことを制限して固定することができる。
【００４３】
また、この着脱部３３は、係合ピン３８の軸部側面に係止ピン３８ｃが立設される一方、貫通孔３７には、その係止ピン３８ｃを上下方向に移動可能に収装するスリット３７ａが形成されている。これにより、この係合ピン３８は、大径部３８ｂを摘まんでスリット３７ａから係止ピン３８ｃが外れるほど引き上げた後に回転させることにより、その係止ピン３８ｃを着脱部３３の上面（スリット３７ａの脇）に係止させることができ、作業者が手を離しても箱型筐体部３２の内面にその先端３８ａが突出しない状態に保持することができる。この状態で、ヤットコ１００の把持部１１０の先端部１１１ａ、１１２ａを箱型筐体部３２の差込口３５から容易に差し込むことができ、この後にその大径部３８ｂを逆方向に回転させて係合ピン３８の係止ピン３８ｃをスリット３７ａ内に進入させることによりその係合ピン３８の先端３８ａをヤットコ１００の先端部１１１ａ、１１２ａの外面の窪みに係合させて固定することができる。
【００４４】
軸支部３４は、箱型筐体部３２の側面に形成されている雌ネジ３２ａ（図３に図示）に、本体部１１の他端側の潰し部１５に穿孔されている貫通孔１６を貫通させた雄ネジ４１を螺合させることにより、その本体部１１に対して箱型筐体部３２を相対回転可能に連結する構造になっている。この雄ネジ４１は、箱型筐体部３２の雌ネジ３２ａに先端側を螺合させているとともに、ナット４２が同時に螺合しており、このナット４２がその箱型筐体部３２の側面にスプリングワッシャー４３を介して押し付けるように回転させることにより、これらの螺合状態が緩むことを防止している。また、この雄ネジ４１は、ヘッド４１ａと本体部１１の潰し部１５との間にスプリング４６が介装されており、このスプリング４６がワッシャー４４、４５により挟まれた状態のその潰し部１５をナット４２側に押し付けている。これにより、軸支部３４は、回動許容部を構成して、本体部１１に対する箱型筐体部３２の姿勢を、言い換えると、ヤットコ１００の把持部１１０の不動部材１１１および可動部材１１２に対するラジオペンチ２００などの握り部２２１〜４２２の姿勢を維持することができる。また、この軸支部３４は、本体部１１が箱型筐体部３２に対して、言い換えると、ラジオペンチ２００などの握り部２２１〜４２２がヤットコ１００の把持部１１０の不動部材１１１および可動部材１１２に対して雄ネジ４１を中心に自由かつ大きな負荷なく回動すること（互いの間に画成される挟角を増減させる方向に回動すること）を許容しつつ、箱型筐体部３２を本体部１１の他端側に連結している。
【００４５】
したがって、例えば、遠隔位置の目的物をラジオペンチ２００で挟持したい場合には、図８に示すように、連結アダプタ１０の本体部１１内にラジオペンチ２００の握り部２２１、２２２を一端側の差込口１２からそれぞれ差し込んだ状態にした後に、その連結アダプタ１０の外面に並列されている手元道具取付部２１の蝶ネジ２３をナット２２に螺合させてその本体部１１内に先端を進入させることにより、当て板２４を介してラジオペンチ２００の握り部２２１、２２２をその蝶ネジ２３の先端で押さえ付けることができ、ラジオペンチ２００の握り部２２１、２２２を本体部１１内に固定して取り付けることができる。
【００４６】
一方、その本体部１１の他端側のヤットコ取付部３１には、着脱部３３の係合ピン３８の係止ピン３８ｃをスリット３７ａの脇に係止させたまま、箱型筐体部３２の差込口３５からヤットコ１００の把持部１１０の先端部１１１ａ、１１２ａを差し込んだ状態にした後に、その係合ピン３８を回転させて係止ピン３８ｃをスリット３７ａ内に進入させることにより、箱型筐体部３２内にその係合ピン３８の先端３８ａを進入させてヤットコ１００の先端部１１１ａ、１１２ａ外面の窪みに係合させることができ、ヤットコ１００の先端部１１１ａ、１１２ａを箱型筐体部３２に固定して本体部１１の他端側の潰し部１５に取り付けることができる。
【００４７】
要するに、ヤットコ１００の把持部１１０の先端側にラジオペンチ２００を連結することができ、この状態では、把持部１１０の不動部材１１１および可動部材１１２とラジオペンチ２００の握り部２２１、２２２は軸支部３４の雄ネジ４１を中心に相対的に回動可能である。このことから、ヤットコ１００の操作部１２０のレバーハンドル１２２を支持棒１３１に接離させる方向に回動させることにより、その可動部材１１２が不動部材１１１に接離するのと同時に、ラジオペンチ２００の握り部２２１、２２２を接離させることができ、このラジオペンチ２００の先細部２１１、２１２の対向面２１１ａ、２１２ａ間に遠隔位置の目的物を挟持させることができる。ここで、ヤットコ１００の把持部１１０の先端側に金切りハサミ３００を連結したときには、その切断部３１１、３１２の対向辺３１１ａ、３１２ａ間で目的物を切断することができ、また、切込みハサミ４００を連結したときには、その切断部４１１、４１２の対向辺４１１ａ、４１２ａ間に引っ掛けるように位置させた目的物を切断することができる。
【００４８】
このように本実施形態においては、ヤットコ１００の把持部１１０の先端にラジオペンチ２００などの手元道具を連結して、そのヤットコ１００のレバーハンドル１２２により遠隔操作して作業することができ、このヤットコ１００の把持部１１０には、ラジオペンチ２００に限らずに、金切りハサミ３００や切込みハサミ４００などのその他の手元道具を連結して作業することができる。したがって、作業の種別毎に専用の遠隔作業道具や手元作業道具を準備することなく、汎用品のヤットコ１００とラジオペンチ２００などをその作業内容に応じて連結して作業することができる。
【００４９】
例えば、電線に電流が流れる活線状態のまま、遠隔位置から電線付近のネジなどを回す細かい作業等をラジオペンチ１００により行ったり、金切りハサミ３００や切込みハサミ４００で邪魔になる枝などを切断して除去する作業をヤットコ１００を操作して安全に行うことができる。また、カラスなどが電柱上部の営巣に利用した金属製のハンガーなどを撤去する際には、そのハンガーをヤットコ１００で引っ張るだけでは電線に接触して短絡させる可能性があって危険であるが、そのヤットコ１００にニッパなどを連結することによりその金属製ハンガーを切断して安全に取り除くこともできる。
【００５０】
次に、図９は本発明に係る連結アダプタの第２の実施形態を示す図である。なお、本実施形態は、上述実施形態と略同様に構成されているので、同様の構成には、同一の符号を付して特徴部分を説明する。
【００５１】
図９において、連結アダプタ５０は、上述実施形態と同様に、ヤットコ１００の把持部１１０に、ラジオペンチ２００や金切りハサミ３００や切込みハサミ４００などの手元道具を連結して連係動作させるように、２つ一組で使用するように設計されている。
【００５２】
この連結アダプタ５０は、ヤットコ取付部３１を連結する本体部１１の潰し部１５の延長面がその本体部１１の延在方向に対して屈曲されており、そのヤットコ取付部３１により連結したヤットコ１００の把持部１１０の不動部材１１１および可動部材１１２に対して、本体部１１の差込口１２から差し込んで取り付けたラジオペンチ２００などの握り部２２１〜４２２が屈曲する姿勢で連結できるように設定されている。
【００５３】
これにより、ヤットコ１００の把持部１１０の不動部材１１１および可動部材１１２が回動する面、および、ラジオペンチ２００などの握り部２２１〜４２２（すなわち、先臍部２１１、２１２などの作業部）が回動する面の延長面が交差する状態でそれぞれ動作することになり、ヤットコ１００の向きに対してラジオペンチ２００などの作業する向きを斜めにすることができる。
【００５４】
このように本実施形態においては、上述実施形態による作用効果に加えて、上述実施形態の連結アダプタ１０のようにヤットコ１００の把持部１１０の先端にラジオペンチ２００などが直線的な姿勢で連結されていると作業し辛い目的物でも、作業し易い姿勢でその目的物にラジオペンチ２００などの手元道具を接近させて作業することができる。したがって、作業性を向上させることができる。
【産業上の利用可能性】
【００５５】
これまで本発明の一実施形態について説明したが、本発明は上述の実施形態に限定されず、その技術的思想の範囲内において種々異なる形態にて実施されてよいことは言うまでもない。
【００５６】
例えば、ラジオペンチ２００や金切りハサミ３００や切込みハサミ４００を一例にして利用する場合を説明するが、これに限るものではないことはいうまでもなく、他の手元作業を行う道具を連結してもよく、その場合に、その道具の握り部の大小に合わせて本体部１１の径の異なる連結アダプタを準備してもよく、また、その本体部１１の形状を握り部の湾曲形状や直線形状などに合わせても良い。
【００５７】
また、ラジオペンチ２００などのように一対の回動部材が回動軸で相対回動可能に連結されている手元道具を一例にして説明するが、これに限るものではなく、別体に作製された先細の延長棒などを連結アダプタ１０、５０の本体部１１内に差し込んで取り付けることにより、ヤットコ１００の把持部１１０自体をラジオペンチのように動作させて作業可能にすることもできる。
【００５８】
さらに、ヤットコ１００を一例にして利用する場合を説明するが、これに限るものではないことはいうまでもなく、例えば、所謂、マジックハンドの先端側把持部に取り付け可能に構成しても良い。
【図面の簡単な説明】
【００５９】
【図１】本発明に係る連結アダプタの第１実施形態を示す図であって、その一対の連結アダプタのうちの一方を示す図であり、（ａ）はその正面図、（ｂ）はその一部品を外した状態の左側面図、（ｃ）はその一部品を外した状態の上面図である。
【図２】その連結アダプタの要部の部品を示す図であり、（ａ）はその透視正面図、（ｂ）はその透視左側面図、（ｃ）は透視上面図である。
【図３】その連結アダプタの要部の部品を示す図であり、（ａ）はその斜視図、（ｂ）はその縦断面図、（ｃ）は一部分の横断面図である。
【図４】その連結アダプタにより連結する遠隔作業道具を示す平面図である。
【図５】その連結アダプタにより連結する手元作業道具を示す平面図である。
【図６】その連結アダプタにより連結する手元作業道具を示す平面図である。
【図７】その連結アダプタにより連結する手元作業道具を示す平面図である。
【図８】その連結アダプタにより遠隔作業道具の先端側に連結した手元作業道具を示す斜視図である。
【図９】本発明に係る連結アダプタの第２実施形態を示す図であり、その一対の連結アダプタのうちの一方を示す側面図である。
【符号の説明】
【００６０】
１０、５０    連結アダプタ
１１    本体部
１３    保護カバー
１５    潰し部
２１    手元道具取付部
２２    ナット
２３    蝶ネジ
２４    当て板
３１    ヤットコ取付部
３２    箱型筐体部
３２ａ    雌ネジ
３３    着脱部
３４    軸支部
３７    貫通孔
３７ａ    スリット
３８    係合ピン
３８ｂ    大径部
３８ｃ    係止ピン
３９    スプリング
４１    雄ネジ
４２    ナット
４６    スプリング
１００    ヤットコ
１１０    把持部
１１１    不動部材
１１１ａ、１１２ａ    先端部
１１２    可動部材
１１３    回動軸
１２０    操作部
１２２    レバーハンドル
１２３    連結レバー
１３０    支持伝達部
１３１    支持棒
１３２    伝達棒
１３４、１３５    傘カバー
２００    ラジオペンチ
２０１、２０２、３０１、３０２、４０１、４０２    回動部材
２０３、３０３、４０３    回動軸
２０４、３０４、４０４    カバー
２１１、２１２    先細部
２１１ａ、２１２ａ    対向面
２２１、２２２、３２１、３２２、４２１、４２２    握り部
２０４〜４０４    カバー
３００    金切りハサミ
３０５    バネ
３１１、３１２、４１１、４１２    切断部
３１１ａ、３１２ａ、４１１ａ、４１２ａ    対向辺
４００    切込みハサミ
【図１】
2006075950.tif 000003
【図２】
2006075950.tif 000004
【図３】
2006075950.tif 000005
【図４】
2006075950.tif 000006
【図５】
2006075950.tif 000007
【図６】
2006075950.tif 000008
【図７】
2006075950.tif 000009
【図８】
2006075950.tif 000010
【図９】
2006075950.tif 000011